(57)【特許請求の範囲】
【請求項１】
ＬＥＤを有する電池の交換が容易なＬＥＤ照明装置であって、
導電性を有する筐体を具備し、かつ、
電池の交換の際に該筐体から取り外せるようになっており、自らも導電性を有して、使用時には該電池の一方の電極に接触するようになっている電池交換用取り外し蓋と、
導電性を有し該電池の他方の電極に圧接して該電池を固定するようになっている電池固定用スプリングと、
導電部材と絶縁部材とを有し該筐体の内部に固定されている仕切り部材であり、該導電部材は該電池固定用スプリングとオルタネートスイッチ機構とを導電的に繋いでおり、該電池固定用スプリングは、電池交換のときに外れないように該導電部材に導電的に固定されており、該導電部材が該絶縁部材で該筐体と電気絶縁されている仕切り部材と、
スイッチを押す度に該ＬＥＤがオルタネート動作をするオルタネートスイッチ機構と、
該スイッチを外部から押せるようにスイッチ突起が具備されているスイッチ蓋と、
をその順番に具備してなることを特徴とするＬＥＤ照明装置。
【請求項２】
不使用時には、上記電池と上記電池交換用取り外し蓋との間に、該電池と該電池交換用取り外し蓋とを電気的に絶縁する絶縁シートを有し、使用開始時に該絶縁シートを外部から抜き取れるように、該絶縁シートの一部が外部に露出している請求項１に記載のＬＥＤ照明装置。
【請求項３】
使用開始時に上記絶縁シートを外部から抜き取れるように、該電池交換用取り外し蓋の上部に、該絶縁シートの一部が、外部に向かって貫通して露出できるような絶縁シート抜き取り穴を有している請求項２に記載のＬＥＤ照明装置。
【請求項４】
上記絶縁シート抜き取り穴が、すりわり穴であって、電池交換の際にコインを差し込んで上記電池交換用取り外し蓋を回転させて上記筐体から取り外せるような形態になっている請求項３に記載のＬＥＤ照明装置。
【請求項５】
上記電池固定用スプリングは、電池交換のときに外れないように上記導電部材に溶接又ははんだ付けで固定されている請求項１ないし請求項４の何れかの請求項に記載のＬＥＤ照明装置。
【請求項６】
上記電池がボタン型電池であって、該ボタン型電池と筐体とが直接接触しないように、該ボタン型電池の周囲にバンドが巻かれている請求項１ないし請求項５の何れかの請求項に記載のＬＥＤ照明装置。
【請求項７】
上記ボタン型電池は、２個以上のボタン型電池が直列に重ね合わされたものであって、上記バンドは、ゴムバンドであって、該２個以上のボタン型電池が筐体と直接接触しないようにすると共に、該２個以上のボタン型電池の重ね合わせを保持するように、その周囲に巻かれている請求項６に記載のＬＥＤ照明装置。
【請求項８】
請求項１ないし請求項７の何れかの請求項に記載のＬＥＤ照明装置を有し、上記ＬＥＤの照射方向に、該ＬＥＤからの光が入射するように透明装飾部品が固定されてなることを特徴とする光装飾品。
【請求項９】
請求項８に記載の光装飾品とキーリングを有するものであることを特徴とするキーホルダー。
【発明の詳細な説明】
【技術分野】
【０００１】
本発明はＬＥＤ照明装置に関し、更に詳しくは、電池交換のときに電池固定用スプリングが外れないようになっているＬＥＤ照明装置、それを有する光装飾品、及び、それを有するキーホルダーに関する。
【背景技術】
【０００２】
ＬＥＤを有するＬＥＤ照明装置は、小型化、耐久性、電力消費量、色等に優れるので、多くの分野で使用されている。
携帯用の比較的小型のＬＥＤ照明装置としては、手に持って使用する携帯型光照射器（例えば、特許文献１、２）、点灯させていないときは首に下げて携帯する首掛け用照明装置（例えば、特許文献３）、キーホルダー型ＬＥＤライト（例えば、特許文献４、５）等、種々知られている。
【０００３】
ただ一般に、比較的小型のＬＥＤ照明装置においては、電池を含め装置を構成する各部材が小型のために電池交換が容易ではない。また、使用開始時においても、使用者による電池設置の煩わしさ、使用者が入手する前から予め電池を入れておくか否かの問題等、「電池」に関しての種々の問題があった。
【０００４】
特許文献１には、ＬＥＤ光源から発せられた光が前方に向かって効率的に照射されるようにした携帯型ＬＥＤ照明灯装置が記載され、特許文献２には、ＬＥＤ基板と電源基板を接近させて組み立て易くした携帯用光照射器が記載されている。
しかしながら、これらの装置は何れも、電池交換や電池設置が容易に行えるようにしたものではなく、また、使用開始まで電池を入れておいた際の電池の消耗に配慮したものでもなかった。
【０００５】
特許文献３には、釣りやキャンプで夜間使用する際に好適な首掛け用の小型のＬＥＤ照明装置が記載され、ドライバー等の工具を使用しなくても電池交換が容易であるとされている。
しかしながら、この装置は、小型の照明装置本体を、首掛け用の紐部から、工具を使用しなくても取り外すことができるために電池交換が容易であると言うものであり、該照明装置本体から古い電池を取り外して新しい電池を入れることが容易であると言うものではなかった。しかも、使用開始まで電池を入れておいた際の電池の消耗を防止したものでもなかった。
【０００６】
特許文献４には、暗い場所においてのみ発光するキーホルダー等のＬＥＤ携帯具が記載されており、電源を切っておく開始スイッチと、発光手段を点滅させる点滅スイッチを具備している。従って、開始スイッチを切っておけば電池の消耗は防げると考えられる。
しかしながら、この装置も、超小型のボタン型電池の交換や該電池の設置が容易に行えるようにしたものではなく、また、該開始スイッチは、輸送時、陳列時、販売時等、ＬＥＤ携帯具の使用開始まで電池を入れておいた際、該電池の容量消耗に配慮したものではなかった。
【０００７】
特許文献５には、暗い場所においてのみ発光するキーホルダー等の小型のＬＥＤ携帯具が記載されており、電源を切っておく開始スイッチと、発光手段を点滅させる点滅スイッチを具備している。従って、開始スイッチを切っておけば電池の消耗は防げる。
しかしながら、この装置も、超小型のボタン型電池の交換や設置が容易に行えるようにしたものではなく、また、該開始スイッチは、輸送時、陳列時、販売時、保管時等、ＬＥＤ携帯具の使用開始までの不使用時に電池を入れておいた際の電力消耗に配慮したものではなかった。しかも、ＬＥＤは鍵穴を照射するためのものであり、ＬＥＤに直接設置された透明装飾部品等を照射するものではなかった。
【０００８】
空間に光照射したり、離れた位置にある外部の対象物に光照射したりするのではなく、接触しているものに光入射させる装置として、特許文献６、７には、ＬＥＤを内設した商品陳列台が記載されている。
しかしながら、これらの装置は、陳列商品を下から光照射するものであって、電池交換が難しい小型装置ではない上に、そもそも電池を必須のものとはせず、コードから電力を得る態様も含むものであった。
【０００９】
このように、ＬＥＤを用いた照明装置は種々知られているが、特に小型の照明装置ではボタン型電池等の超小型の電池が用いられており、その電池の設置や交換は、従来技術では容易なものではなかった。特に、該電池の大きさが指の大きさと同等又はそれよりも小さいときには、電池の交換は器用な人でなければできない程難しかった。
特に、超小型のボタン型電池を複数個交換したり、例えばマイナス極側に超小型のスプリングが使用されているとき等に、該ボタン型電池、該スプリング、蓋等の他の構成部材等が、落ちたり跳んだり紛失したりするのを防ぎながら、電池の設置や交換をすることは極めて難しいものであった。そのため、電池が切れた時点で諦めて、その照明装置を使わなくなってしまう人も多くいた。
【００１０】
また、電池交換の際のみならず、使用を開始する際も、小型の電池を入れる（設置する）ことは容易ではないために、製造時や陳列時に既に電池を入れて（設置して）おき、それを販売することも考えられた。
しかしながら、予め電池を入れて（設置して）おくと、ＬＥＤとＬＥＤ基板の性質上、若干の電力が消費され、長期間に亘り店頭に陳列されていたり、購入しても長期間使用せずに保管したりすると、電池が消耗してしまうと言う問題点があった。
【００１１】
このため、従来の公知技術では、電池で作動する比較的小型のＬＥＤ照明装置の場合、極めて使い難く、使用者の要求に応えるには不十分であり、改善の余地があった。
【先行技術文献】
【特許文献】
【００１２】
【特許文献１】特開２００６−３３１８８０号公報
【特許文献２】特開２０１５−００２００６号公報
【特許文献３】特開２０１３−１７９０９９号公報
【特許文献４】実用新案登録第３０６０７１９号公報
【特許文献５】特開２００８−１９２３３５号公報
【特許文献６】実用新案登録第３０９４５０４号公報
【特許文献７】意匠登録第１２０４７３６号公報
【発明の概要】
【発明が解決しようとする課題】
【００１３】
本発明は上記背景技術に鑑みてなされたものであり、その課題は、電池が切れたときに電池の交換が容易であり、更には、使用者に提供時（販売時）から既に電池を入れた（設置した）状態にしておいても電池の消耗がなく、しかも使用者が容易に使用を開始できるような形態のＬＥＤ照明装置を提供することにある。
更には、そのようなＬＥＤ照明装置を有する光装飾品や、それを具備する特に好ましい（特にマッチングした）応用製品を提供することにある。
【課題を解決するための手段】
【００１４】
本発明者は、上記の課題を解決すべく鋭意検討を重ねた結果、従来のように、電池交換用取り外し蓋と電池との間に電池固定用スプリングを配置させるのではなく、電池交換用取り外し蓋と電池とは直接接触させ（電極と電気的に接触させ）、該電池の「該電池交換用取り外し蓋とは反対側」に電池固定用スプリングを配置させ、しかも該電池固定用スプリングを、筐体に固定された仕切り部材に固定してしまっておくことによって、電池の交換時等に、該電池固定用スプリングの扱いが容易となり、その滑落や紛失も防止でき、その結果、容易に電池交換ができるようになることを見出した。
【００１５】
また、使用開始前に絶縁シートを、該電池と該電池交換用取り外し蓋との間に挿入しておけば、使用開始前から（例えば、販売時に既に）電池を入れておいても電池の消耗が防げると共に、使用開始時には、該絶縁シートが電池固定用スプリングに接していないので、該絶縁シートが抜き取り易く、しかも該絶縁シートを抜き取りさえすれば直ぐに使用を開始でき、使用者にとって扱い易くなることを見出して本発明に至った。
【００１６】
すなわち、本発明は、
ＬＥＤを有する電池の交換が容易なＬＥＤ照明装置であって、
導電性を有する筐体を具備し、かつ、
電池の交換の際に該筐体から取り外せるようになっており、自らも導電性を有して、使用時には該電池の一方の電極に接触するようになっている電池交換用取り外し蓋と、
導電性を有し該電池の他方の電極に圧接して該電池を固定するようになっている電池固定用スプリングと、
導電部材と絶縁部材とを有し該筐体の内部に固定されている仕切り部材であり、該導電部材は該電池固定用スプリングとオルタネートスイッチ機構とを導電的に繋いでおり、該電池固定用スプリングは、電池交換のときに外れないように該導電部材に導電的に固定されており、該導電部材が該絶縁部材で該筐体と電気絶縁されている仕切り部材と、
スイッチを押す度に該ＬＥＤがオルタネート動作をするオルタネートスイッチ機構と、
該スイッチを外部から押せるようにスイッチ突起が具備されているスイッチ蓋と、
をその順番に具備してなることを特徴とするＬＥＤ照明装置を提供するものである。
【００１７】
また、本発明は、不使用時には、上記電池と上記電池交換用取り外し蓋との間に、該電池と該電池交換用取り外し蓋とを電気的に絶縁する絶縁シートを有し、使用開始時に該絶縁シートを外部から抜き取れるように、該絶縁シートの一部が外部に露出している上記のＬＥＤ照明装置を提供するものである。
【００１８】
また、本発明は、使用開始時に上記絶縁シートを外部から抜き取れるように、該電池交換用取り外し蓋の上部に、該絶縁シートの一部が、外部に向かって貫通して露出できるような絶縁シート抜き取り穴を有している上記のＬＥＤ照明装置を提供するものである。
【００１９】
また、本発明は、上記のＬＥＤ照明装置を有し、上記ＬＥＤの照射方向に、該ＬＥＤからの光が入射するように透明装飾部品が固定されてなることを特徴とする光装飾品を提供するものである。
【００２０】
また、本発明は、上記の光装飾品とキーリングを有するものであることを特徴とするキーホルダーを提供するものである。
【発明の効果】
【００２１】
本発明によれば、前記問題点と課題とを解決し、電池交換が極めて容易な「ＬＥＤを有するＬＥＤ照明装置」を提供することができる。
特に、ＬＥＤ照明装置を構成する、スプリング、電池等、種々の部品の大きさが指の大きさと同等又はそれよりも小さいような場合であっても、また器用でない人であっても、スプリング、蓋、電池等の部品を落とすことなく、電池交換が可能である。
本発明においては、電池固定用スプリングが筐体の内部の仕切り板に固定されていて本体（筐体等）から外れない（脱落しない）ようになっており、また、該電池固定用スプリングは、電池から見て電池交換用取り外し蓋の反対側にあるので（図２、４参照）、該電池交換用取り外し蓋を取り外した際でも、該電池固定用スプリングが脱落することがない。また、該電池交換用取り外し蓋を取り外すために回転させても、該電池固定用スプリングがそれと共に捻じれることがない。
従って、電池交換が容易であることから、従来しばしば行われていたように、電池が切れた時点でその照明装置を使わなくなってしまう（例えば、廃棄してしまう）ということが防げる。
【００２２】
また、使用を開始する際も、超小型であり極性（入れる際の裏表）が重要である電池をＬＥＤ照明装置の内部に入れる（設置する）ことが一般の使用者にとって容易ではないために、ＬＥＤ照明装置の製造時、出荷時、店頭での陳列時、販売時等から既に電池を内部に入れて（設置して）おく場合がある。
しかしながら、予め電池を入れて（設置して）おくと、たとえＯＦＦ状態であっても、ＬＥＤ端子、ＬＥＤ基板、周辺素子等の絶縁性の関係で、徐々に電力が消費され、長期間店頭に陳列されていたり、購入しても長期間使用せずに保管したりすると、電池が消耗してしまうと言う問題点があった。
【００２３】
本発明においては、電池と電池交換用取り外し蓋との間に、電池固定用スプリングがないために、絶縁シートを電池と電池交換用取り外し蓋との間に好適に挿入させられる。そのため、製造者や販売者が保管したり、店に陳列したり、購入者が購入後しばらく使用しないでいるとき等に、電池と電池交換用取り外し蓋との間に絶縁シートを挟んだままにしておけば、電池が消耗してしまうと言うことが起こらない。
【００２４】
また、本発明においては、電池と電池交換用取り外し蓋との間に、電池固定用スプリングがないために、電池と電池交換用取り外し蓋との間に挿入された絶縁シートを、使用開始時に外部から抜き取り易い。
特に、電池交換用取り外し蓋の上部に絶縁シート抜き取り穴を設け、そこから該絶縁シートの一部を外部に露出させておけば（例えば図３参照）、該絶縁シート抜き取り穴から露出した絶縁シートの一部を指で掴んで絶縁シート全体を引っぱり出せば、電池交換用取り外し蓋を取り外さなくても導電が得られて、容易に素早くＬＥＤ照明装置の使用を開始できる。
【００２５】
更に、前記のＬＥＤ照明装置の照射方向に、ＬＥＤからの光が入射するように透明装飾部品を固定して光装飾品にすることによって、ＬＥＤからの光が該透明装飾部品の内部まで入射し、該透明装飾部品が奇麗に輝く（例えば図５参照）。
従って、該透明装飾部品として、置物、宝石、盾、銘板、ガラス製宝石、彫刻品、勲章、写真立、キーホルダーの装飾品、アクセサリー等を用いれば、ＬＥＤ照明装置と透明装飾部品が合体した光装飾品は、より奇麗に見せることができる。
【００２６】
本発明のＬＥＤ照明装置は、小型であるときに前記効果を特に発揮するので、本発明の上記光装飾品はキーホルダーとして特に有用である。
【図面の簡単な説明】
【００２７】
【図１】本発明のＬＥＤ照明装置から、電池交換用取り外し蓋と電池を除いた形態の一例を示す概略断面図である。
【図２】使用時の本発明のＬＥＤ照明装置の一例を示す概略断面図である。
【図３】使用開始前に、電池と電池交換用取り外し蓋との間に絶縁シートが存在する形態と、「複数のボタン型電池の重ね合わせ」をバンドが保持する形態の一例を示す概略部分断面図である。  （ａ）正面断面図  （ｂ）側面断面図
【図４】使用時のＬＥＤへの電圧の向きを示す概略断面図である。  右上から左下へのハッチングはプラス電圧がかかっている導電体を示し、左上から右下へのハッチングはマイナス電圧がかかっている導電体を示し、縦及び横のハッチングは絶縁体を示す。
【図５】本発明のＬＥＤ照明装置の利用形態の一例であって、該ＬＥＤ照明装置に透明部品が固定されてなる光装飾品を有するキーホルダーを示す概略斜視図である。
【発明を実施するための形態】
【００２８】
以下、本発明について説明するが、本発明は以下の具体的な実施の形態に限定されるものではなく、本発明の技術的範囲内で任意に変形して実施することができる。
【００２９】
本発明は、ＬＥＤを有する電池の交換が容易なＬＥＤ照明装置であって、
導電性を有する筐体を具備し、かつ、
電池の交換の際に該筐体から取り外せるようになっており、自らも導電性を有して、使用時には該電池の一方の電極に接触するようになっている電池交換用取り外し蓋と、
導電性を有し該電池の他方の電極に圧接して該電池を固定するようになっている電池固定用スプリングと、
導電部材と絶縁部材とを有し該筐体の内部に固定されている仕切り部材であり、該導電部材は該電池固定用スプリングとオルタネートスイッチ機構とを導電的に繋いでおり、該電池固定用スプリングは、電池交換のときに外れないように該導電部材に導電的に固定されており、該導電部材が該絶縁部材で該筐体と電気絶縁されている仕切り部材と、
スイッチを押す度に該ＬＥＤがオルタネート動作をするオルタネートスイッチ機構と、
該スイッチを外部から押せるようにスイッチ突起が具備されているスイッチ蓋と、
をその順番に具備してなることを特徴とするＬＥＤ照明装置である。
【００３０】
本発明のＬＥＤ照明装置１１は、少なくとも、ＬＥＤ２１；及び；筐体３１を具備し、かつ、電池交換用取り外し蓋３２；電池固定用スプリング３３；導電部材３４ａと絶縁部材３４ｂとを有する仕切り部材３４；オルタネートスイッチ機構３５；及び；スイッチ蓋３６を、その順番に具備してなることを特徴とする。
以下、明細書と図面も含め、「マイナス（極、電荷）」若しくは「−」、「プラス（極、電荷）」若しくは「＋」と、単純にどちらかにして仮に記載する場合があるが、それらの極性は逆であってもよい。例えば、「プラスの電荷は、電池交換用取り外し蓋から筐体を経由して」等は、「マイナスの電荷は、電池交換用取り外し蓋から筐体を経由して」等と読み替えてもよい。
【００３１】
ＬＥＤ２１とは発光ダイオードのことを言い、本発明では、シングルチップの砲弾型又は表面実装型、マルチチップの表面実装型等、あらゆるタイプが使用できるが、シングルチップの砲弾型であることが好ましい。
本発明のＬＥＤ照明装置１１は小型のときにその効果を発揮することと、小型であることを生かして、ＬＥＤ照明装置１１に透明部品７１を固定した光装飾品８１としての利用に適していることから、図１、２、４及び５に示したようなシングルチップの砲弾型ＬＥＤが特に好ましい。
砲弾型ＬＥＤは、通常、その直径が２．５ｍｍ〜７ｍｍであるが、該大きさ（更に好ましくは３ｍｍ〜５ｍｍ）が、上記好適な利用態様からして、本発明のＬＥＤ照明装置１１としてマッチングしているために好ましい。
【００３２】
本発明のＬＥＤ照明装置１１は、オルタネートスイッチ機構３５を有するが、単にＯＮとＯＦＦだけでなく、スイッチ３５ａを押すごとに異なる色が発光するようにもできる。その場合は、マルチチップの表面実装型、又は、色等の異なる２種以上の「シングルチップの砲弾型」を用いることが適している。ＬＥＤの表面実装型としては、フェースアップ実装、フリップチップ実装等が挙げられる。
【００３３】
本発明のＬＥＤ照明装置１１が有するＬＥＤ２１の種類（素材）や発光色については特に限定はなく、可視光領域であれば何れでもよく、また白色でもよい。ＬＥＤ２１の色は、本発明のＬＥＤ照明装置１１を「透明部品が付いた光装飾品」に用いたときには、該透明部品７１に適した色が使用される。
また、本発明のＬＥＤ照明装置１１が有するＬＥＤ２１の個数も特に限定はないが、１個〜５個が好ましく、１個〜３個がより好ましい。本発明のＬＥＤ照明装置１１は小型のときにその効果を発揮する点から、使用されるＬＥＤ２１は、図１、２、４及び５に示したように１個が特に好ましい。
【００３４】
ＬＥＤの駆動回路、電源回路等（図示せず）は公知のものが使用される。また、使用者が電池４１を逆に入れて（設置して）しまったり、電池４１の種類（印加電圧等）を誤ったりしたときのために、公知の逆接ダイオード、電流制限抵抗、定電流素子等（図示せず）を使用することもできる。
【００３５】
ＬＥＤ２１の周囲には、ＬＥＤ２１が外部から機械的衝撃を受けないように、また、後述する光装飾品８１を接合して使用するときは、該光装飾品８１との固定が好適に行われるように、例として図１、２、４及び５に示したようなＬＥＤ覆い６１を設けることが好ましい。
ＬＥＤ２１の背面やＬＥＤ覆い６１の内面には、ＬＥＤ２１からの照射光が所望の方向に増強されるように、限定されるわけではないが、鏡面加工等の反射手段が施されていることが好ましい。
【００３６】
本発明のＬＥＤ照明装置１１は、筐体３１を有し、該筐体３１の一方側には電池交換用取り外し蓋３２を有し、他方側にはスイッチ蓋３６を有している。
該筐体３１中には、少なくとも、電池４１、電池固定用スプリング３３、仕切り部材３４、及び、オルタネートスイッチ機構３５がこの順に設けられている。
【００３７】
電池交換用取り外し蓋３２は、製造者や販売者が電池４１を入れる（設置する）とき、使用者が使用開始時に電池４１を入れる（設置する）とき、使用者等が電池４１を交換するとき等に、筐体３１から取り外せるようになっている。電池交換用取り外し蓋３２の筐体３１からの取り外し機構（取り付け機構）は特に限定はないが、図１〜４に示したように、ネジ式であると、電池交換用取り外し蓋３２が筐体３１から外れ難いため（緩まないため）に好ましい。
ネジ式の場合は、図５に示したように、電池交換用取り外し蓋３２の外周部に、指の滑り止め用にギザギザが設けてあることが好ましい。
【００３８】
本発明のＬＥＤ照明装置１１の筐体３１及び電池交換用取り外し蓋３２は、電池４１からの電流を通す必要があるので、導電性を有することが必須である。
従って、筐体３１及び電池交換用取り外し蓋３２の材質は、導電性が高いことから金属であることが好ましく、中でも腐食し難いことからステンレスであることが特に好ましい。
【００３９】
筐体３１の形状は、特に限定はなく、図１〜５に示したように略円柱状であっても、略角柱状であっても、略球状若しくは略楕円球状であってもよいが、図１〜５に示したように略円柱状であることが、電池４１の収納が容易、電池交換用取り外し蓋３２の取り外しが容易等の点から好ましい。
【００４０】
電池交換用取り外し蓋３２は、電池４１の交換の際に該筐体３１から取り外せるようになっており、導電性を有していて、使用時には該電池４１の一方の電極に接触するようになっている。
図２及び図４に、ＬＥＤの点灯の有無に依らず、電池４１を入れた状態でのＬＥＤ照明装置１１使用の断面図を示す。図２及び図４に示したように、電池４１のプラス極は電池交換用取り外し蓋３２に接触している。電池交換用取り外し蓋３２は、電池４１が外れないように電池４１を筐体３１中に抑え込むと同時に、電池４１のプラス極に電気的に接触して電流を取り出せるようになっている。
【００４１】
使用時には、電池交換用取り外し蓋３２は、筐体３１に固定されていると共に電気的にも接触し、電池４１からの電流は、電池交換用取り外し蓋３２を経由して筐体３１に流れるようになっている。
【００４２】
例えば前記したように、電池４１のプラス極が電池交換用取り外し蓋３２に接触するように電池４１を入れる場合、本発明のＬＥＤ照明装置１１では、電池固定用スプリング３３は、該電池４１のマイナス電極に圧接して該電池４１を固定するようになっている。
すなわち、本発明のＬＥＤ照明装置１１では、従来品のように電池４１と電池交換用取り外し蓋３２との間ではなく、電池４１から見て電池交換用取り外し蓋３２とは反対側に、すなわち電池４１と仕切り部材３４との間に、電池固定用スプリング３３が存在する。
【００４３】
従来品は、電池４１と電池交換用取り外し蓋３２との間に、電池固定用スプリング３３が存在するために、電池交換のため等に電池交換用取り外し蓋３２を開けると、電池固定用スプリング３３が跳ねたり脱落したりすることがあった。
また、電池４１を設置して、その上に電池固定用スプリング３３を置き、その上から電池交換用取り外し蓋３２で固定しようとしても、電池固定用スプリング３３は通常時は長い（高さが高い）ために、良好に電池交換用取り外し蓋３２が固定できない場合があった。そのため、電池固定用スプリング３３が脱落したり、異常に捻じれたりして、良好に電池固定用スプリング３３及び電池４１を固定できない場合があった。特に、電池交換用取り外し蓋３２がネジ式の場合、上記障害が顕著であった。
【００４４】
本発明のＬＥＤ照明装置１１では、図１、２、４に示したように、電池固定用スプリング３３は、電池４１の下側に存在するので、電池交換用取り外し蓋３２を開けたり閉めたりするときに、電池交換用取り外し蓋３２は、そもそも電池固定用スプリング３３に接触していないので、上記障害は起こり得ない。特に、電池交換用取り外し蓋３２がネジ式の場合であっても、上記障害が起こり得ない。
【００４５】
しかも、上記電池固定用スプリング３３は、後述する「導電部材３４ａが絶縁部材３４ｂで筐体と電気絶縁されている仕切り部材３４」の中の該導電部材３４ａに、導電的にも機械的にも固定されているので、該電池固定用スプリング３３は、そこから外れて筐体３１外に抜け落ちることがない。
すなわち、例えば一例を図１、２、４に示したように、上記電池固定用スプリング３３は、電池４１の下側にあって、しかもその下の仕切り部材３４に固定されていて外れることがないので、不器用な人を含め誰でも安心して容易に電池交換ができる。
【００４６】
本発明のＬＥＤ照明装置１１に用いられる電池４１は、特に限定はないが、直径が２ｍｍ〜１５ｍｍのものが好ましく、３．５ｍｍ〜１０ｍｍのものがより好ましく、５ｍｍ〜８ｍｍのものが特に好ましい。
また、本発明のＬＥＤ照明装置１１に用いられる電池４１の１個の厚さは、特に限定はないが、０．５ｍｍ〜７ｍｍのものが好ましく、１ｍｍ〜５ｍｍのものがより好ましく、１．５ｍｍ〜３ｍｍのものが特に好ましい。
本発明のＬＥＤ照明装置１１は、小型であっても電池交換が容易な点に特徴があるので、電池４１も上記範囲の小型のものが、本発明の効果を発揮できる点から好ましい。
【００４７】
該電池４１の種類は、特に限定はないが、ボタン型電池４１であることが、本発明の前記効果を発揮できる点から好ましい。また、充電ができない一次電池、充電ができる二次電池の何れでもよいが、本発明の前記効果を発揮できる点、小型である点等から、電池交換が頻繁に必要な一次電池が好ましい。
また、１個の電池の電圧も特に限定はなく、使用するＬＥＤの種類、使用する電池の個数を勘案して、それらに合わせて公知の電圧のものが選択される。
【００４８】
本発明のＬＥＤ照明装置１１に用いられる電池４１は、ボタン型電池４１であって、該ボタン型電池４１と筐体３１とが直接接触しないように、該ボタン型電池４１の周囲にバンド４２が巻かれていることが、電池４１と筐体３１との機械的な接触（衝撃）を和らげられる、該バンド４２を絶縁体にすることで、該電池４１を電気的に筐体３１から絶縁できる等の点から好ましい。
【００４９】
上記ボタン型電池４１は、２個以上のボタン型電池４１が直列に重ね合わされたものであって、上記バンド４２は、ゴムバンドであって、該２個以上のボタン型電池４１が筐体３１と直接接触しないようにすると共に、該２個以上のボタン型電池４１の重ね合わせを保持するように、その周囲に巻かれていることが、前記効果に加えて、更に、複数の電池４１を直列に重ねるときに該電池群がバラバラにならないように保持できる、複数の電池４１からなる１個の電池群を扱えばよいので、作業が簡単容易にできる等の点から特に好ましい。
例えば図１〜４では、３個のボタン型電池４１が直列に重ね合わされ、その周囲に該３個のボタン型電池４１がバラバラにならないように、バンド４２が巻かれて保持されている。
【００５０】
本発明に用いられる電池４１の数は、特に限定はないが、ボタン型電池４１の場合、汎用されている該ボタン型電池４１の種類やＬＥＤの種類からして、１〜１０個が好ましく、２〜７個がより好ましく、３〜５個が特に好ましい。
【００５１】
本発明のＬＥＤ照明装置１１は、「導電部材３４ａと絶縁部材３４ｂとを有し該筐体の内部に固定されている仕切り部材３４」を必須のものとして有している。
該導電部材３４ａは、該電池固定用スプリング３３とオルタネートスイッチ機構３５とを導電的に繋いでおり、該電池固定用スプリング３３は、電池交換のときに外れないように、該導電部材３４ａに導電的かつ機械的に固定されている。
電池固定用スプリング３３は、電池交換のときに外れないように、上記導電部材３４ａに溶接又ははんだ付けで機械的に固定されていることが、強固に固定でき、何度も電池交換をしたり、電池固定用スプリング３３に外力がかかったりしても、容易には外れないために好ましい。
【００５２】
そして、該導電部材３４ａは、絶縁部材３４ｂで筐体３１と電気的に絶縁されている。仕切り部材３４の形状は、特に限定はないが、筐体３１を横に横断する板状であり、上記電池固定用スプリング３３や電池４１と、その下のオルタネートスイッチ機構３５とを隔離できるような形状が好ましい。
仕切り部材３４において、該導電部材３４ａの好ましい態様は、図１、２、４に示したように、導電部材３４ａが、仕切り部材３４の略中央に存在し、板状の絶縁部材３４ｂを貫通し、絶縁部材３４ｂで周囲を囲まれているような態様である。
【００５３】
電池固定用スプリング３３からのマイナスの電荷は、該導電部材３４ａを通じてその下のオルタネートスイッチ機構３５へと電気的に接続している。一方、プラスの電荷は、電池交換用取り外し蓋３２から筐体３１を経由して、オルタネートスイッチ機構３５へと電気的に接続している。
プラス側とマイナス側は、例えば、図１、２、４に示したように、上記絶縁部材３４ｂ等で互いに絶縁されている。
【００５４】
図４に、電気的な接続・絶縁の態様を示す。図４では、本発明のＬＥＤ照明装置１１を使用時（使用開始後）、右上から左下へのハッチングを付した部材はプラス電圧がかかっている導電体を示し、左上から右下へのハッチングを付した部材はマイナス電圧がかかっている導電体を示し、縦及び横のハッチングを付した部材は絶縁体を示す。
電池交換用取り外し蓋３２から筐体３１を経由したプラスの電圧（電荷）は、後述するスイッチ蓋３６に至っている。
なお、前記した通り、「プラス」は「マイナス」と、「マイナス」は「プラス」と読み替えることができる。
【００５５】
本発明のＬＥＤ照明装置１１は、不使用時には、上記電池４１と上記電池交換用取り外し蓋３２との間に、該電池４１と該電池交換用取り外し蓋３２とを電気的に絶縁する絶縁シート５１を有し、該絶縁シート５１は、使用開始時に該絶縁シート５１を外部から抜き取れるように、該絶縁シート５１の一部が外部に露出していることが好ましい。
ここで、「使用開始時」とは、使用者が「電池が既に設置されているＬＥＤ照明装置」を入手して使用を始めるとき、使用者が「しばらく使用しないので、電池４１と電池交換用取り外し蓋３２との間に絶縁シート５１を挟んだ状態で保存しておいたＬＥＤ照明装置１１」の使用を始めるとき等が挙げられる。
【００５６】
該絶縁シート５１の一部が、ＬＥＤ照明装置１１の外部に露出している個所は、該絶縁シート５１の近傍ならばよく、電池交換用取り外し蓋３２、筐体３１等が挙げられる。露出方向も特に限定はなく、電池交換用取り外し蓋３２の下方向に筐体３１があるとして、横方向でも上方向でもよい。
中でも、該絶縁シート５１の一部が、筐体３１から横方向に露出しているか（図示せず）、図３に示したように、電池交換用取り外し蓋３２から上方向に露出していることが好ましい。
【００５７】
本発明のＬＥＤ照明装置１１では、電池４１と電池交換用取り外し蓋３２との間に電池固定用スプリング３３がないので、電池４１と電池交換用取り外し蓋３２との間に存在する（挟まれた）絶縁シート５１を外部から抜き取り易い。
従来品のように、電池４１と電池交換用取り外し蓋３２との間に電池固定用スプリング３３があると、上から順に、電池交換用取り外し蓋３２、絶縁シート５１、電池固定用スプリング３３、電池４１の順であっても、上から順に、電池交換用取り外し蓋３２、電池固定用スプリング３３、絶縁シート５１、電池４１の順であっても、何れも電池固定用スプリング３３が絶縁シート５１に接している（絶縁シートを押し付けている）ので、該絶縁シート５１を抜き取るときに、該電池固定用スプリング３３が横方向にずれたり、該電池固定用スプリング３３が横方向に余計な力が加わることによって捻じれたり、該電池固定用スプリング３３の先端で該絶縁シート５１が破れたりする場合がある。
【００５８】
更に前記した中でも、上記絶縁シート５１は、その一部が、図３（ａ）（ｂ）に示したように電池交換用取り外し蓋３２から上方向に露出していることがより好ましい。
本発明のＬＥＤ照明装置１１は、使用開始時に上記絶縁シート５１を外部から抜き取れるように、該電池交換用取り外し蓋３２の上部に、該絶縁シート５１の一部が、外部に向かって貫通して露出できるような絶縁シート抜き取り穴３２ａを有していることがより好ましい。
図３（ａ）（ｂ）に示したように、該電池交換用取り外し蓋３２の上部に、絶縁シート抜き取り穴３２ａがあると、絶縁シート５１を抜き取る際に、上に抜き取れるので、電池４１等に余計な機械的負荷がかからない。
【００５９】
また、絶縁シート５１は、図３に示すように折り曲げられ、折り曲げられた中央部分が電池交換用取り外し蓋３２の上部から露出しており、両脇部分で、電池交換用取り外し蓋３２と電池４１とを絶縁していることが、露出部を指で摘んで抜き取り易く、簡便な構造となり、抜き取るときに絶縁シート５１に余計な力がかからないのでより好ましい。
また、電池交換用取り外し蓋３２がネジ式の場合には、絶縁シート５１も電池交換用取り外し蓋３２と共に回転するが、そのときでも、絶縁シート５１の両脇部分は、電池４１を絶縁しつつ電池４１の上で滑らかに回転するだけなので、破れたり皺になったりして絶縁が不良になることがない。
【００６０】
また、電池交換用取り外し蓋３２は、筐体３１に強くネジ留めされてしまうと、簡単に回せなくなり外せなくなる場合があるが、そのために、電池交換用取り外し蓋３２の上部に、コイン等を差し込んで回せるような溝又は穴があることが好ましい。従って、上記絶縁シート５１を露出させるための絶縁シート抜き取り穴３２ａが、該「溝又は穴」を兼ねていることは、構造を単純にするために特に好ましい。
【００６１】
すなわち、本発明の特に好ましい態様は、上記絶縁シート抜き取り穴３２ａが、電池交換の際にコインを差し込んで上記電池交換用取り外し蓋３２を回転させて上記筐体３１から取り外せるような形態になっている前記のＬＥＤ照明装置１１である。
図３（ａ）（ｂ）は、上記態様の一例を示すものであり、絶縁シート５１が存在する状態を示すものである。図３（ａ）は、絶縁シート抜き取り穴３２ａを縦に（長手方向で）切った正面断面図であり、図３（ｂ）は、絶縁シート抜き取り穴３２ａを横に（幅方向で）切った側面断面図である。
【００６２】
図３（ａ）（ｂ）に示したように、該絶縁シート抜き取り穴３２ａが、すりわり穴であれば、尚更コインを差し込み易い。ここで「すりわり穴」とは、使用されるコインの曲率と略等しいかそれより大きい曲率を持つ穴を言い、頭部にのみドライバーを差し込むような急深の「−」や「＋」の溝又は穴がある場合だけを排除している。
【００６３】
使用開始時等に、図３（ａ）（ｂ）に示した状態から絶縁シート５１を抜き取れば、図２、４に示した状態になり、電池４１の電極と電池交換用取り外し蓋３２とが通電する。
【００６４】
絶縁シート５１の厚さは、特に限定はないが、０．０１ｍｍ〜１ｍｍが好ましく、０．０３ｍｍ〜０．５ｍｍがより好ましく、０．１ｍｍ〜０．３ｍｍが、折り曲げ強度、引き裂き強度、絶縁抵抗等の点から特に好ましい。
また、絶縁シート５１の材質は、特に限定はないが、ポリエチレンテレフタレート（ＰＥＴ）、ポリカーボネート等のポリエステル；ポリエチレン、ポリプロピレン等のポリオレフィン；ポリテトラフルオロエチレン等のフッ素含有ポリマー；ポリ塩化ビニル、ポリ塩化ビニリデン等の塩素含有ポリマー；ポリアミド、ポリイミド等の窒素含有ポリマー；ポリスチレン、ポリ（メタ）アクリレート、ポリ酢酸ビニル等のビニルポリマー；等が挙げられる。中でも、ポリエステル又はフッ素含有ポリマーが、折り曲げ強度、引き裂き強度、絶縁抵抗等の点から特に好ましい。
【００６５】
図１、２、４に示したように、本発明のＬＥＤ照明装置１１は、オルタネートスイッチ機構３５を有する。「オルタネートスイッチ」とは、オルタネート動作をするスイッチのことを言い、一度押すとＯＮになり、手を放してもＯＮ状態を保ち、もう一度押すとＯＦＦになり、手を放してもＯＦＦ状態を保つスイッチのことを言う。「オルタネートスイッチ機構」とは、スイッチ３５ａを押す度にＬＥＤがオルタネート動作をするものを言う。
【００６６】
本発明のＬＥＤ照明装置１１は、透明装飾部品をそれに固定して、キーホルダー８２等の光装飾品８１として利用されることが好ましいが、その際、一度押すとＯＮになり、手を放してもＯＮ状態を保つ必要があるので、そのためにオルタネートスイッチ（以下、単に「スイッチ」と略記する場合がある）が好ましい。
【００６７】
オルタネートスイッチ機構３５は、図１、２、４では詳細を省略しているが、公知のものが使用できる。オルタネートスイッチ機構３５の下部には、図１、２、４に示したように、オルタネートスイッチ機構３５に付随したスイッチ３５ａがある。該スイッチ３５ａは、後述するスイッチ蓋３６に具備されたスイッチ突起３７を外部から押すと、該スイッチ突起３７の動きに応じて（押されて）ＯＮ・ＯＦＦができるようになっている。
【００６８】
オルタネートスイッチ機構３５（の内部）には、図１、２、４に示したように、筐体３１からの電流を取り込む端子や、ＬＥＤのそれぞれのリード線（端子）又は該リード線（端子）に接続された導体（ＬＥＤプラス端子２１ａ、及び、ＬＥＤマイナス端子２１ｂ）が入り込んでいて、ＬＥＤ点灯時（スイッチＯＮ時）には、電流が流れるようになっている。オルタネートスイッチ機構３５（の内部）の配線は、公知のものや公知の方法が使用される。
更に、オルタネートスイッチ機構３５（の内部）には、上記スイッチ３５ａ、端子、導体等の他に、必要に応じで、公知の、ＬＥＤ基板、ＬＥＤ駆動回路、フィルタ回路、定電流素子等（図示せず）が設けられていてもよい。
【００６９】
本発明のＬＥＤ照明装置１１には、上記スイッチ３５ａを外部から押せるようにスイッチ突起３７が具備されているスイッチ蓋３６が存在する。スイッチ蓋３６は、ＬＥＤ照明装置１１の内部を外部から保護するためにもある。
スイッチ蓋３６を貫通しているスイッチ突起３７は、オルタネートスイッチ機構３５が具備するスイッチ３５ａをＬＥＤ照明装置１１の外部から押すものである。該スイッチ突起３７は導電体であってもよいし、絶縁体であってもよい。スイッチ突起３７が金属でできていて導電体である場合、スイッチ突起３７とスイッチ３５ａとは、絶縁板３７ａで絶縁されていることが好ましいが、スイッチ突起３７又はスイッチ３５ａが絶縁体の場合には、絶縁板３７ａはなくてもよい。
【００７０】
図４に本発明のＬＥＤ照明装置１１使用時の（点灯時の）ＬＥＤへの電圧（電流）の向きを表した概略断面図を示す。右上から左下へのハッチングは、プラス電圧がかかっている導電体を、左上から右下へのハッチングは、マイナス電圧がかかっている導電体を、縦及び横のハッチングは絶縁体を示す。スイッチ突起３７は絶縁体でもよく、その場合は、絶縁板３７ａはなくてもよい。
【００７１】
筐体３１、電池交換用取り外し蓋３２又はスイッチ蓋３６には、必須ではないが接続具７２が具備されていることが好ましい。該接続具７２は、本発明のＬＥＤ照明装置１１を使用する際に、他の部材と接続するために用いられる。図５に示したように、該接続具７２を用いて鎖８２ｂ等で繋ぎ、キーホルダー８２等の比較的小型のものとして好適に使用することができる。
【００７２】
本発明のＬＥＤ照明装置１１の大きさは、特に限定はないが、比較的小型であっても取り扱いが容易である点が本発明の特徴であることから、電池交換用取り外し蓋３２、筐体３１、スイッチ蓋３６と順に並んでいる方向を縦とすると、縦は、１ｃｍ〜１５ｃｍが好ましく、１．３ｃｍ〜１０ｃｍがより好ましく、１．６ｃｍ〜６ｃｍが特に好ましく、２ｃｍ〜４ｃｍが更に好ましい。
横又は「直径等の差し渡し長さ」は、０．４ｃｍ〜３ｃｍが好ましく、０．６ｃｍ〜２．６ｃｍがより好ましく、０．７ｃｍ〜２ｃｍが特に好ましく、０．８ｃｍ〜１．５ｃｍが更に好ましい。
本発明のＬＥＤ照明装置１１の大きさは、小さいほど本発明の前記効果をより発揮する。
【００７３】
本発明の他の態様は、前記のＬＥＤ照明装置１１を有し、上記ＬＥＤ２１の照射方向に、該ＬＥＤ２１からの光が入射するように透明装飾部品が固定されてなることを特徴とする光装飾品８１である。
ここで、「透明装飾部品」は、透明性を有し本発明のＬＥＤ照明装置１１から光を取り込めるものであれば特に限定はないが、具体的には、例えば、キーホルダーの装飾部、ネックレスの装飾部、ガラス製部品、盾、宝石、銘板、彫刻品、勲章、写真立、アクセサリー、マスコット等が挙げられる。
なお、「透明装飾部品」には、その全てが透明なものの他、「その一部に透明でない材質でできた部分を有するもの」も含まれる。また、完全に透明でなくても光が入射するような半透明も含まれる。また、無色透明も有色透明も含まれる。
【００７４】
該透明装飾部品は、本発明のＬＥＤ照明装置１１が小型であることが好ましいので、同様に小型のものが好ましい。大きさは、前記したＬＥＤ照明装置１１の大きさと同等の値が好ましい値として挙げられる。
【００７５】
透明装飾部品の外部や内部に、機械的彫刻、レーザー加工、薬品エッチング等により、文字や図形が描かれている透明装飾部品であることも、本発明の前記効果を奏し易いために特に好ましい。
図５には、一例として、その内部に動物の立体図形がレーザー加工された「ガラス製部品である透明装飾部品」を示す。
本発明のＬＥＤ照明装置１１と透明装飾部品が合体した光装飾品８１は、該ＬＥＤ照明装置１１からの光線によって奇麗に輝く。
【００７６】
本発明のＬＥＤ照明装置１１と透明部品７１とは、例えば図５に示したように、透明部品固定板６２を介して固定されて光装飾品８１となっていてもよい。透明部品固定板６２を介して固定すると強固に固定でき、ＬＥＤ照明装置１１と透明部品７１とが分離し難い。
【００７７】
透明装飾部品の（透明部分の）材質については、ある程度の透明性があれば特に限定はないが、クリスタルガラス、ホウケイ酸ガラス、ソーダ石灰ガラス、石英ガラス等のガラス；天然石、宝石等の天然石；アクリル樹脂、ポリカーボネート等の透明合成樹脂；等が挙げられる。
【００７８】
光装飾品８１としては、限定はないが、前記した、キーホルダーの装飾部、ネックレスの装飾部、ガラス製部品、盾、宝石、銘板、彫刻品、勲章、写真立、アクセサリー、マスコット等のそれぞれにＬＥＤ照明装置１１が具備されたものが挙げられる。
【００７９】
本発明のＬＥＤ照明装置１１は、小型であるときに前記効果を特に発揮するので、本発明の上記光装飾品８１はキーホルダー８２として特に有用である。
従って、本発明の他の態様は、前記の光装飾品８１とキーリング８２ａを有するものであることを特徴とするキーホルダー８２である。
【実施例】
【００８０】
以下に、実施例を挙げて本発明を更に具体的に説明するが、本発明は、その要旨を超えない限りこれらの実施例に限定されるものではない。
【００８１】
実施例１
図１〜４に示すような本発明のＬＥＤ照明装置１１を用い、図３に示すように、電池４１と絶縁シート５１とが設置されている状態で、かつスイッチ３５ａをＯＦＦにして１年間室温に放置したところ、殆ど電池４１の消耗がなかった。電池４１としては、１．５Ｖのアルカリボタン型電池である「ＬＲ６２１」３個を、ゴムバンドを巻いて保持した。
【００８２】
一方、上から順に、電池交換用取り外し蓋３２、「（筐体又は仕切り部材に末端が機械的に固定されていない）電池固定用スプリング」、電池４１の順に具備する従来のＬＥＤ照明装置（以下、「比較電池Ａ」と言う）では、１年間室温に放置したところ、スイッチ３５ａはＯＦＦの状態ではあったが、絶縁シート５１がないために、電池の消耗が見られ、その結果、ＬＥＤ２１が暗くしか点灯しなかった。
【００８３】
実施例２
図１〜４に示すような本発明のＬＥＤ照明装置１１を、図３に示すように、電池４１と絶縁シート５１とが設置されている状態で入手した。直ぐに使用するために、絶縁シート抜き取り穴３２ａから露出している絶縁部材３４ｂの露出部分を手で掴み、該絶縁シート５１を図１〜４における上に向けて抜き取ったところ、容易に絶縁シート５１が抜けて絶縁シート５１が破れることもなく、直ぐに点灯可能の状態になった。
【００８４】
一方、比較電池Ａで、絶縁シート５１を、電池交換用取り外し蓋３２と電池固定用スプリングとの間に挿んで、電池交換用取り外し蓋３２を回したところ、絶縁シート５１が捻じれて、電池交換用取り外し蓋３２と電池固定用スプリングとが通電してしまった。
また、絶縁シート５１を「図１〜４における電池の下側」に絶縁できるように設置したが、使用開始時に、電池交換用取り外し蓋３２と電池４１を取り出して、その下の絶縁シート５１を取り出す必要があり、極めて面倒であった。しかも、そのくらいなら、電池４１を別途入手して、使用開始時に入れる（設置する）のと全く変わりはなかった。
【００８５】
実施例３
図１〜４に示すような本発明のＬＥＤ照明装置１１を用い電池交換を行った。電池固定用スプリング３３が仕切り部材３４の導電部材３４ａに溶接で固定されていたので脱落もなく、該電池固定用スプリング３３には触らずに電池交換ができた。
【００８６】
一方、比較電池Ａでは、電池固定用スプリングを除かないと古い電池４１を取り出せないために、電池固定用スプリングを除いたが、小さいためにその取扱いに苦労した。また、新しい電池４１を入れて、電池４１の上部に電池固定用スプリングをのせて、電池交換用取り外し蓋３２を回して固定しようとしたが、電池固定用スプリングを押しながら（縮めながら）電池交換用取り外し蓋３２を回す必要があり、電池交換用取り外し蓋３２が良好に回らなかった。また、強引に電池交換用取り外し蓋３２を回したところ、電池固定用スプリングが捻じれて、良好に電池４１を固定設置できなかった。
【００８７】
また、電池交換用取り外し蓋３２、電池４１、「（筐体又は仕切り部材に末端が機械的に固定されていない）電池固定用スプリング」の順に具備するＬＥＤ照明装置（以下、「比較電池Ｂ」と言う）では、電池４１を取り出すときに逆さにしたが、そのときに、同時に電池固定用スプリングも落ちてしまい、小さいためにその取扱いに苦労した。
【符号の説明】
【００８８】
１１    ＬＥＤ照明装置
２１    ＬＥＤ
２１ａ  ＬＥＤプラス端子
２１ｂ  ＬＥＤマイナス端子
３１    筐体
３２    電池交換用取り外し蓋
３２ａ  絶縁シート抜き取り穴
３３    電池固定用スプリング
３４    仕切り部材
３４ａ  導電部材
３４ｂ  絶縁部材
３５    オルタネートスイッチ機構
３５ａ  スイッチ
３６    スイッチ蓋
３７    スイッチ突起
３７ａ  絶縁板
４１    電池（ボタン型電池）
４２    バンド
５１    絶縁シート
６１    ＬＥＤ覆い
６２    透明部品固定板
７１    透明部品
７２    接続具
８１    光装飾品
８２    キーホルダー
８２ａ  キーリング
８２ｂ  鎖
【図１】
0006682210.tif 000002
【図２】
0006682210.tif 000003
【図３】
0006682210.tif 000004
【図４】
0006682210.tif 000005
【図５】
0006682210.tif 000006